(57)【特許請求の範囲】
【請求項１】
他の車両との電気的接点部を利用することで前記他の車両との通信経路を構築する電気連結器を備えた車両の車両間伝送装置であって、
前記他の車両との通信を制御する通信制御手段と、
前記通信制御手段と前記電気連結器との間に配置されたパルストランスと、
前記パルストランスの中点と前記電気連結器との間に配置され、前記電気連結器と前記他の車両の電気連結器との間の前記電気的接点部に直流電圧を加圧する電源装置と、
前記電源装置と前記電気連結器との間に配置され、当該電源装置および当該電気連結器の接続／非接続を切り替え可能なスイッチと、
を備え、
前記通信制御手段は、前記スイッチを操作して、前記電気的接点部に直流電圧を加圧する時間を制御し、前記他の車両との連結を検知した場合、前記スイッチを操作して前記電気的接点部に直流電圧を加圧し、一定時間経過後に前記スイッチを操作して前記電気的接点部に対する直流電圧の加圧を停止する、
ことを特徴とする車両間伝送装置。
【請求項２】
他の車両との電気的接点部を利用することで前記他の車両との通信経路を構築する電気連結器を備えた車両の車両間伝送装置であって、
前記他の車両との通信を制御する通信制御手段と、
前記通信制御手段と前記電気連結器との間に配置されたパルストランスと、
前記パルストランスの中点と前記電気連結器との間に配置され、前記電気連結器と前記他の車両の電気連結器との間の前記電気的接点部に直流電圧を加圧する電源装置と、
前記電源装置と前記電気連結器との間に配置され、当該電源装置および当該電気連結器の接続／非接続を切り替え可能なスイッチと、
を備え、
前記通信制御手段は、前記スイッチを操作して、前記電気的接点部に直流電圧を加圧する時間を制御し、前記他の車両との間の通信で伝送不良を検知した場合、前記スイッチを操作して前記電気的接点部に直流電圧を加圧し、一定時間経過後に前記スイッチを操作して前記電気的接点部に対する直流電圧の加圧を停止する、
ことを特徴とする車両間伝送装置。
【請求項３】
他の車両との電気的接点部を利用することで前記他の車両との通信経路を構築する電気連結器を備えた車両の車両間伝送装置であって、
前記他の車両との通信を制御する通信制御手段と、
前記通信制御手段と前記電気連結器との間に配置されたパルストランスと、
前記パルストランスの中点と前記電気連結器との間に配置され、前記電気連結器と前記他の車両の電気連結器との間の前記電気的接点部に直流電圧を加圧する電源装置と、
前記電源装置と前記電気連結器との間に配置され、当該電源装置および当該電気連結器の接続／非接続を切り替え可能なスイッチと、
を備え、
前記通信制御手段は、前記スイッチを操作して、前記電気的接点部に直流電圧を加圧する時間を制御し、自車両と前記他の車両との間で定期的に通信を行う場合、自車両が信号を送信して前記他の車両が受信し、前記他の車両が信号を送信して自車両が受信するまでを１サイクルとするとき、前記スイッチを操作して前記電気的接点部に直流電圧を加圧し、一定時間経過後に前記スイッチを操作して前記電気的接点部に対する直流電圧の加圧を停止する処理を規定の回数のサイクル毎に行う、
ことを特徴とする車両間伝送装置。
【請求項４】
他の車両との電気的接点部を利用することで前記他の車両との通信経路を構築する電気連結器を備えた車両の車両間伝送装置であって、
前記他の車両との通信を制御する通信制御手段と、
前記通信制御手段と前記電気連結器との間に配置されたパルストランスと、
前記パルストランスの中点と前記電気連結器との間に配置され、前記電気連結器と前記他の車両の電気連結器との間の前記電気的接点部に直流電圧を加圧する電源装置と、
前記電源装置と前記電気連結器との間に配置され、当該電源装置および当該電気連結器の接続／非接続を切り替え可能なスイッチと、
を備え、
前記通信制御手段は、前記スイッチを操作して、前記電気的接点部に直流電圧を加圧する時間を制御し、
自車両と前記他の車両との間で、自車両が信号を送信して前記他の車両が受信し、前記他の車両が信号を送信して自車両が受信する処理を定期的に行う場合に、
前記通信制御手段は、前記スイッチを操作して、自車両が信号受信完了後から自車両がつぎの信号送信開始前までの間、前記電気的接点部に直流電圧を加圧する制御を行う、
ことを特徴とする車両間伝送装置。
【請求項５】
他の車両との電気的接点部を利用することで前記他の車両との通信経路を構築する電気連結器を備えた車両の車両間伝送装置であって、
前記他の車両との通信を制御する通信制御手段と、
前記通信制御手段と前記電気連結器との間に配置されたパルストランスと、
前記パルストランスの中点と前記電気連結器との間に配置され、前記電気連結器と前記他の車両の電気連結器との間の前記電気的接点部に直流電圧を加圧する電源装置と、
前記電源装置と前記電気連結器との間に配置され、当該電源装置および当該電気連結器の接続／非接続を切り替え可能なスイッチと、
を備え、
前記通信制御手段は、前記スイッチを操作して、前記電気的接点部に直流電圧を加圧する時間を制御し、
自車両と前記他の車両との間で、自車両が信号を送信して前記他の車両が受信し、前記他の車両が信号を送信して自車両が受信する処理を定期的に行う場合に、
前記通信制御手段は、前記スイッチを操作して、自車両の信号送信開始前から自車両が信号受信完了までの間、前記電気的接点部に直流電圧を加圧する制御を行う、
ことを特徴とする車両間伝送装置。
【請求項６】
前記通信制御手段は、前記電気的接点部に直流電圧を加圧した状態の通信において前記他の車両との間で伝送不良を検知した場合、前記電気的接点部に対する直流電圧の加圧を継続する制御を行う、
ことを特徴とする請求項５に記載の車両間伝送装置。
【請求項７】
他の車両との電気的接点部を利用することで前記他の車両との通信経路を構築する電気連結器を備えた車両の車両間伝送装置であって、
前記他の車両との通信を制御する通信制御手段と、
前記通信制御手段と前記電気連結器との間に配置されたパルストランスと、
前記パルストランスの中点と前記電気連結器との間に配置され、前記電気連結器と前記他の車両の電気連結器との間の前記電気的接点部に直流電圧を加圧する電源装置と、
を備え、
前記電源装置は、自車両の車体から絶縁する、
ことを特徴とする車両間伝送装置。
【請求項８】
前記電源装置は、自車両に搭載されたバッテリーまたは前記バッテリーの電圧を変換したものを用いる、
ことを特徴とする請求項１から６のいずれか１つに記載の車両間伝送装置。
【発明の詳細な説明】
【技術分野】
【０００１】
本発明は、他の車両との間で信号を伝送する車両間伝送装置に関する。
【背景技術】
【０００２】
従来、電気連結器により連結した車両間において、各車両の電気連結器の電気的接点部を介して通信が行われている。ここで、他の車両と連結していない状態では、各車両の電気連結器の表面に酸化皮膜が発生することがある。酸化皮膜が発生した状態で他の車両と連結した場合、酸化皮膜の影響により車両間の通信において伝送不良が発生するおそれがある。【０００３】
上記問題を解決する方法として、例えば、下記特許文献１では、コネクタの接触部に直流成分を付与して酸化皮膜を破壊する技術が開示されている。送信アンプがトランスによって絶縁された回路において、トランスとコネクタとの間に直流電圧源を接続することにより、コネクタに対して直流成分を加圧している。
【先行技術文献】
【特許文献】
【０００４】
【特許文献１】特開平２−７１６２１号公報
【発明の概要】
【発明が解決しようとする課題】
【０００５】
しかしながら、上記従来の技術によれば、送信側において直流電圧源とトランスがコンデンサを介して接続していることから、トランスが抵抗成分となって信号波形を乱してしまい信号品質が低下する、という問題があった。【０００６】
本発明は、上記に鑑みてなされたものであって、信号品質の低下を抑えつつ電気連結器の酸化皮膜を破壊可能な車両間伝送装置を得ることを目的とする。
【課題を解決するための手段】
【０００７】
上述した課題を解決し、目的を達成するために、本発明は、他の車両との電気的接点部を利用することで前記他の車両との通信経路を構築する電気連結器を備えた車両の車両間伝送装置であって、前記他の車両との通信を制御する通信制御手段と、前記通信制御手段と前記電気連結器との間に配置されたパルストランスと、前記パルストランスの中点と前記電気連結器との間に配置され、前記電気連結器と前記他の車両の電気連結器との間の前記電気的接点部に直流電圧を加圧する電源装置と、前記電源装置と前記電気連結器との間に配置され、当該電源装置および当該電気連結器の接続／非接続を切り替え可能なスイッチと、を備え、前記通信制御手段は、前記スイッチを操作して、前記電気的接点部に直流電圧を加圧する時間を制御し、前記他の車両との連結を検知した場合、前記スイッチを操作して前記電気的接点部に直流電圧を加圧し、一定時間経過後に前記スイッチを操作して前記電気的接点部に対する直流電圧の加圧を停止する、ことを特徴とする。
【発明の効果】
【０００８】
本発明にかかる車両間伝送装置は、信号品質の低下を抑えつつ電気連結器の酸化皮膜を破壊できる、という効果を奏する。
【図面の簡単な説明】
【０００９】
【図１】図１は、実施の形態１の車両間通信システムの構成例を示す図である。
【図２】図２は、実施の形態２の車両間通信システムの構成例を示す図である。
【図３】図３は、電気的接点部に直流電圧を加圧する時間を示す図である。
【図４】図４は、電気的接点部に直流電圧を加圧する時間を示す図である。
【発明を実施するための形態】
【００１０】
以下に、本発明にかかる車両間伝送装置の実施の形態を図面に基づいて詳細に説明する。なお、この実施の形態によりこの発明が限定されるものではない。
【００１１】
実施の形態１．
図１は、本実施の形態の車両間通信システムの構成例を示す図である。車両間通信システムは、車両１０と、車両２０と、から構成される。ここでは、車両１０が、車両１０と車両２０の間の電気連結器の電気的接点部に直流電圧を加圧する。
【００１２】
各車両の構成について説明する。車両１０は、車両間伝送装置として、通信制御回路１１と、送信回路１２と、受信回路１３と、パルストランス１４と、シールド付きツイストペアケーブル１５と、電気連結器１６と、電源装置１７と、コンデンサ１８と、を備える。
【００１３】
通信制御回路１１は、車両２０側との間の通信を制御する通信制御手段である。送信回路１２は、車両２０側に信号を送信する送信部である。受信回路１３は、車両２０側からの信号を受信する受信部である。パルストランス１４は、通信制御回路１１、送信回路１２、受信回路１３側と電気連結器１６側との間に配置され、信号の送受信側の回路と電気連結器１６側とを直流的に絶縁する。シールド付きツイストペアケーブル１５は、パルストランス１４から電気連結器１６までの通信経路である。電気連結器１６は、車両２０側との接続部であり、車両２０の電気連結器との電気的接点部を利用することで車両２０との通信経路を構築する。電源装置１７は、パルストランス１４の中点と電気連結器１６との間に配置され、電気的接点部に直流電圧を加圧する。コンデンサ１８は、車両１０の車体側と信号経路とを直流的に絶縁する。
【００１４】
車両２０は、車両間伝送装置として、通信制御回路２１と、送信回路２２と、受信回路２３と、パルストランス２４と、シールド付きツイストペアケーブル２５と、電気連結器２６と、負荷抵抗器２７と、コンデンサ２８と、を備える。
【００１５】
通信制御回路２１は、車両１０側との間の通信を制御する通信制御手段である。送信回路２２は、車両１０側に信号を送信する送信部である。受信回路２３は、車両１０側からの信号を受信する受信部である。パルストランス２４は、通信制御回路２１、送信回路２２、受信回路２３側と電気連結器２６側との間に配置され、信号の送受信側の回路と電気連結器２６側とを直流的に絶縁する。シールド付きツイストペアケーブル２５は、パルストランス２４から電気連結器２６までの通信経路である。電気連結器２６は、車両１０側との接続部であり、車両１０の電気連結器１６との電気的接点部を利用することで車両１０との通信経路を構築する。負荷抵抗器２７は、パルストランス２４の中点と電気連結器２６との間に配置された抵抗器である。コンデンサ２８は、車両２０の車体側と信号経路とを直流的に絶縁する。
【００１６】
車両１０と車両２０との間では、図１の送信回路１２、受信回路１３、送信回路２２、受信回路２３が示すように、差動信号により通信を行っているものとする。
【００１７】
図１において、電源装置１７は、車両１０の電気連結器１６および車両２０の電気連結器２６を介して負荷抵抗器２７と接続している。電源装置１７は、電気連結器１６と電気連結器２６との間の電気的接点部に直流電圧を加圧することで、電気連結器１６，２６に酸化皮膜が発生している場合に酸化皮膜を破壊することができる。電源装置１７は、車両１０の車体側から絶縁された位置に配置する。また、ここでは、電源装置１７から電気連結器１６までの経路を、シールド付きツイストペアケーブル１５のシールド部分とする。
【００１８】
なお、電源装置１７は、専用のバッテリーを搭載しなくてもよい。電源装置１７としては、車両１０に搭載されたバッテリー（例えば、１００Ｖ）、または当該バッテリー（１００Ｖ）から電圧変換した２４Ｖ電圧等を用いることができる。
【００１９】
以上説明したように、本実施の形態によれば、車両１０の車両間伝送装置において、車両１０の電気連結器１６と車両２０の電気連結器２６の間の電気的接点部に直流電圧を加圧するための電源装置１７を、パルストランス１４の中点と電気連結器１６との間に配置することとした。これにより、従来技術と比較して信号波形を乱す要因を排除できることから、車両１０と車両２０との間において、信号品質の低下を抑えて通信を行いつつ、各電気連結器に発生している酸化皮膜を破壊することができる。
【００２０】
実施の形態２．
従来技術および実施の形態１では、電源装置１７が電気的接点部に常時直流電圧を加圧している。電源装置１７は、酸化皮膜破壊後も直流電圧の加圧を継続しているため、無駄に電力を浪費していることになる。本実施の形態では、無駄に電力を浪費することなく酸化皮膜を破壊する。実施の形態１と異なる部分について説明する。
【００２１】
図２は、本実施の形態の車両間通信システムの構成例を示す図である。車両間通信システムは、車両１０ａと、車両２０と、から構成される。車両１０ａは、車両１０ａと車両２０の間の電気連結器の電気的接点部に直流電圧を加圧する制御を行う。なお、ここでは、一方の車両（車両１０ａ）のみが直流電圧を加圧する制御を行う場合について説明するが、一例であり、両方の車両（車両１０ａ，２０）がそれぞれ直流電圧を加圧する制御を行うようにしてもよい。
【００２２】
車両１０ａの構成について説明する。車両１０ａは、車両間伝送装置として、通信制御回路１１ａと、送信回路１２と、受信回路１３と、パルストランス１４と、シールド付きツイストペアケーブル１５と、電気連結器１６と、電源装置１７と、コンデンサ１８と、スイッチ１９と、を備える。
【００２３】
通信制御回路１１ａは、車両２０側との間の通信を制御する通信制御手段である。また、通信制御回路１１ａは、加圧制御信号により、スイッチ１９を操作することができる。スイッチ１９は、電源装置１７と電気連結器１６と間に配置され、通信制御回路１１ａの制御により、電源装置１７と電気連結器１６の接続／非接続を切り替える。
【００２４】
本実施の形態では、車両１０ａの通信制御回路１１ａは、加圧制御信号を送信してスイッチ１９を操作することにより、電源装置１７が電気連結器１６と電気連結器２６との間の電気的接点部に直流電圧を加圧する時間を制御することができる。通信制御回路１１ａは、スイッチ１９を操作して、電源装置１７と電気連結器１６を接続したときには電気的接点部に直流電圧を加圧することができ、電源装置１７と電気連結器１６を非接続にしたときには電気的接点部に直流電圧の加圧を停止することができる。すなわち、通信制御回路１１ａは、スイッチ１９を操作して、電源装置１７と電気連結器１６を接続している間、電気的接点部に直流電圧を加圧することができる。
【００２５】
例えば、通信制御回路１１ａは、自身の電源投入後、スイッチ１９を操作して電気的接点部に電源装置１７の直流電圧を加圧し、一定時間経過後にスイッチ１９を操作して電気的接点部に対する直流電圧の加圧を停止する。通信制御回路１１ａの制御により、電源装置１７は、電気連結器１６，２６に酸化皮膜が発生している場合に、酸化皮膜を破壊することができる。
【００２６】
また、通信制御回路１１ａは、車両２０との連結を検知した場合、スイッチ１９を操作して電気的接点部に電源装置１７の直流電圧を加圧し、一定時間経過後にスイッチ１９を操作して電気的接点部に対する直流電圧の加圧を停止する。通信制御回路１１ａの制御により、電源装置１７は、電気連結器１６，２６に酸化皮膜が発生している場合に、酸化皮膜を破壊することができる。
【００２７】
また、通信制御回路１１ａは、車両２０との間の通信で伝送不良を検知した場合、スイッチ１９を操作して電気的接点部に電源装置１７の直流電圧を加圧し、一定時間経過後にスイッチ１９を操作して電気的接点部に対する直流電圧の加圧を停止する。通信制御回路１１ａの制御により、電源装置１７は、電気連結器１６，２６に酸化皮膜が発生している場合に、酸化皮膜を破壊することができる。
【００２８】
また、通信制御回路１１ａは、車両１０ａと車両２０との間で定期的に通信を行う場合、車両１０ａの送信回路１２が信号を送信して車両２０の受信回路２３が受信し、車両２０の送信回路２２が信号を送信して車両１０ａの受信回路１３が受信するまでを１サイクルとするとき、スイッチ１９を操作して電気的接点部に電源装置１７の直流電圧を加圧し、一定時間経過後にスイッチ１９を操作して電気的接点部に対する直流電圧の加圧を停止する処理を規定の回数のサイクル毎に行う。通信制御回路１１ａの制御により、電源装置１７は、電気連結器１６，２６に酸化皮膜が発生している場合に、酸化皮膜を破壊することができる。
【００２９】
ここで、車両１０ａと車両２０との間で、車両１０ａの送信回路１２が信号を送信して車両２０の受信回路２３が受信し、車両２０の送信回路２２が信号を送信して車両１０ａの受信回路１３が受信する処理（通信）を定期的に行っているとすると、通信制御回路１１ａは、スイッチ１９を操作して、車両１０ａが信号受信完了後から車両１０ａがつぎの信号送信開始前までの間、電気的接点部に電源装置１７の直流電圧を加圧することができる。
【００３０】
図３は、電気的接点部に電源装置の直流電圧を加圧する時間を示す図である。このように、通信制御回路１１ａは、前の通信と次の通信の間の時間において電気的接点部に電源装置１７の直流電圧を加圧する。
【００３１】
同様に、車両１０ａと車両２０との間で、車両１０ａの送信回路１２が信号を送信して車両２０の受信回路２３が受信し、車両２０の送信回路２２が信号を送信して車両１０ａの受信回路１３が受信する処理（通信）を定期的に行っているとすると、通信制御回路１１ａは、スイッチ１９を操作して、車両１０ａの信号送信開始前から車両１０ａが信号受信完了までの間、電気的接点部に電源装置１７の直流電圧を加圧することができる。
【００３２】
このとき、通信制御回路１１ａは、電気的接点部に直流電圧を加圧した状態の通信において車両２０との間で伝送不良を検知した場合、電気的接点部に対する直流電圧の加圧を継続することができる。
【００３３】
図４は、電気的接点部に電源装置の直流電圧を加圧する時間を示す図である。このように、通信制御回路１１ａは、各通信を実行中の時間において電気的接点部に電源装置１７の直流電圧を加圧する。
【００３４】
なお、図３および図４に示すように、電気的接点部に電源装置１７の直流電圧を加圧および加圧停止するタイミングは、車両１０ａ，２０がそれぞれ送信および受信する時間帯にかからないようにする。いずれの方法においても、通信制御回路１１ａは、自車両が備える図示しないタイマーに基づいて制御を行うことができるため、簡易な制御で実行することが可能である。
【００３５】
以上説明したように、本実施の形態によれば、通信制御回路１１ａは、スイッチ１９を操作し、車両１０ａの電気連結器１６および車両２０の電気連結器２６の間の電気的接点部に電源装置１７の直流電圧を加圧することで、電気連結器１６，２６の表面に発生している酸化皮膜を破壊することができる。また、通信制御回路１１ａは、自身の電源投入後、車両２０との連結を検知した場合、車両２０との間の通信で伝送不良を検知した場合等、のタイミングで直流電圧を加圧することができる。これにより、実施の形態１の効果に加えて、無駄に電力を浪費することなく酸化皮膜を破壊することができる。
【符号の説明】
【００３６】
１０，１０ａ，２０  車両、１１，１１ａ，２１  通信制御回路、１２，２２  送信回路、１３，２３  受信回路、１４，２４  パルストランス、１５，２５  シールド付きツイストペアケーブル、１６，２６  電気連結器、１７  電源装置、１８，２８  コンデンサ、１９  スイッチ、２７  負荷抵抗器。
【図１】
0005893220.tif 000002
【図２】
0005893220.tif 000003
【図３】
0005893220.tif 000004
【図４】
0005893220.tif 000005